(57)【特許請求の範囲】
【請求項１】
門柱本体と、該門柱本体の上端部の小口を塞ぐキャップ部材とを備えた門柱であって、
前記キャップ部材の内面に、取付部材を介して取り付けた照明デバイスと、
前記門柱本体の小口に設けられ、前記キャップ部材が固定される台座部材と、
を備え、
前記キャップ部材は、少なくとも前記小口の一端縁から前記門柱本体の一側方に突き出した突出部を有し、
前記台座部材は、前記小口の一端縁から前記門柱本体の一側方に突き出すことで、前記突出部の下面側を塞ぐ突出部分と、該突出部分に形成された開口部と、を有し、
前記台座部材の突出部分には、前記開口部を塞ぐと共に、前記照明デバイスからの光を透過する透過材が設けられていることを特徴とする門柱。
【請求項２】
請求項１記載の門柱において、
前記照明デバイスは、前記キャップ部材の天面に対して前記取付部材を介して取り付けられていることを特徴とする門柱。
【発明の詳細な説明】
【技術分野】
【０００１】
本発明は、門柱本体の上端部の小口をキャップ部材で塞いだ門柱に関する。
【背景技術】
【０００２】
従来より住宅の敷地の玄関先に立設し、表札やポスト、インターホン等を取り付けた門柱が広く利用されている。本出願人は例えば特許文献１において、アルミ押出形材で構成した門柱本体の正面壁に表札、ポスト及びインターホンを設け、その最上部に表札等を照らすための照明を設けた構成を提案している。
【先行技術文献】
【特許文献】
【０００３】
【特許文献１】特許第３６０３２６２号公報
【発明の概要】
【発明が解決しようとする課題】
【０００４】
上記特許文献１の構成では、照明を門柱本体の正面壁から突出するように設けているため、門柱本体の正面壁に配線のための穴加工が必要となる。また、例えば照明用の光源としてＬＥＤのような照明デバイスを利用した場合、その交換時に新たな照明デバイスのための取付穴を門柱本体に追加工する必要が生じる場合があって作業が煩雑なものとなる可能性がある。さらに照明が門柱本体の正面壁に面付状態で取り付けられているため、照明と門柱本体との間での意匠の一体感に乏しい場合があるとの指摘もある。
【０００５】
本発明は、上記従来技術の課題を考慮してなされたものであり、照明の取付作業やメンテナンス作業を容易に行うことができ、外観品質も高めることができる門柱を提供することを目的とする。
【課題を解決するための手段】
【０００６】
本発明に係る門柱は、門柱本体と、該門柱本体の上端部の小口を塞ぐキャップ部材とを備えた門柱であって、前記キャップ部材の内面に、取付部材を介して取り付けた照明デバイスと、前記門柱本体の小口に設けられ、前記キャップ部材が固定される台座部材と、を備え、前記キャップ部材は、少なくとも前記小口の一端縁から前記門柱本体の一側方に突き出した突出部を有し、前記台座部材は、前記小口の一端縁から前記門柱本体の一側方に突き出すことで、前記突出部の下面側を塞ぐ突出部分と、該突出部分に形成された開口部と、を有し、前記台座部材の突出部分には、前記開口部を塞ぐと共に、前記照明デバイスからの光を透過する透過材が設けられていることを特徴とする。
【０００７】
このような構成によれば、照明デバイスの門柱本体への取付作業は、配線の結線作業の他は照明デバイスを取り付けたキャップ部材で小口を覆うだけでよい。このため、門柱本体への穴加工等が不要となり、取付作業が容易となる。しかも照明デバイスは、取付部材を介してキャップ部材に取り付けられる。このため、照明デバイスの交換等のメンテナンス作業では、取付部材に対する追加の穴加工等を行うだけで形状や仕様の異なる照明デバイスを交換設置することができ、容易である。また、照明デバイスは、門柱本体の小口を塞ぐキャップ部材の内側に設けられるため、照明デバイスが門柱本体の外観上に大きく現れず門柱の意匠の一体感が向上し、外観品質が向上する。
【０００８】
本発明に係る門柱において、前記照明デバイスは、前記キャップ部材の天面に対して前記取付部材を介して取り付けられた構成であってもよい。そうすると、照明デバイスがキャップ部材の内側で最も浸水の可能性が低い高位置に設置され、高い防水効果が得られる。
【０００９】
本発明に係る門柱において、前記キャップ部材は、前記門柱本体の小口に設けられた台座部材を上方から覆うように該台座部材に対して固定され、前記台座部材の周縁部よりも前記キャップ部材の周縁部の下端部が下方に突出した構成であってもよい。そうすると、台座部材を介してキャップ部材を容易に且つ精度よく門柱本体に対して取り付けることができる。しかも、台座部材の周縁部よりもキャップ部材の下端部が下方に突出しているため、キャップ部材の下端部と台座部材とが段ずれした取付構造となる。これにより、キャップ部材の外面を流れた雨水等は、その下端部から下方に円滑に流れ落ちる。このため、キャップ部材の内側にある台座部材との間の隙間に表面張力等によって雨水等が浸入することを効果的に防止できる。
【００１０】
本発明に係る門柱において、前記キャップ部材は、少なくとも前記小口の一端縁から前記門柱本体の一側方に突き出した突出部を有し、前記突出部に前記照明デバイスからの光を透過する透過材が設けられた構成であってもよい。そうすると、キャップ部材内への浸水を透過材によって確実に防止しつつ、照明デバイスからの光を円滑に外部に照射することができる。また、例えば照明デバイスの交換時にはその仕様や特性に応じた透過材に交換することもでき、メンテナンス性が一層向上する。
【００１１】
本発明に係る門柱において、門柱本体と、該門柱本体の上端部の小口を塞ぐキャップ部材とを備えた門柱であって、前記キャップ部材の内面に、取付部材を介して照明デバイスを取り付けたものであり、前記門柱本体は、その内部に長手方向の中空部が形成されると共に、該中空部には前記照明デバイスへの通電用の電源線が挿通されており、前記電源線は、その一端部が前記門柱本体又は前記キャップ部材に対して配線保持具によって保持された状態で前記照明デバイスに接続された配線と結線されることで、該電源線と前記配線とを結線した結線部が、前記電源線における前記配線保持具で保持された位置よりも前記照明デバイス側となる位置に配置された構成であってもよい。そうすると、門柱本体内を垂下される電源線がその自重で下方に引っ張られ、配線との結線部に負荷がかかることを防止でき、結線部での断線等を防止できる。
【発明の効果】
【００１２】
本発明によれば、照明デバイスの門柱本体への取付作業やメンテナンス作業が容易となり、また照明デバイスが門柱本体の外観上に大きく現れず門柱の意匠の一体感が向上して外観品質が向上する。
【図面の簡単な説明】
【００１３】
【図１】図１は、本発明の一実施形態に係る門柱の斜視図である。
【図２】図２は、キャップ部材の門柱本体への取付構造を示す分解斜視図である。
【図３】図３は、図２に示すキャップ部材の内部構造を示す分解斜視図である。
【図４】図４は、キャップ部材を含む門柱本体の上部を拡大した縦断面図である。
【発明を実施するための形態】
【００１４】
以下、本発明に係る門柱について好適な実施の形態を挙げ、添付の図面を参照しながら詳細に説明する。
【００１５】
図１は、本発明の一実施形態に係る門柱１０の斜視図である。本実施形態に係る門柱１０は、例えば住宅の敷地の玄関先に立設され、表札１２やポスト１４、インターホン１６等が設置されるものである。
【００１６】
図１に示すように、門柱１０は、上下に長尺な門柱本体１８と、門柱本体１８の上端部の小口１８ａを塞ぐキャップ部材２０とを備える。
【００１７】
門柱本体１８は、アルミニウムやスチール等の金属材料若しくは樹脂材料の押出形材で構成されている。門柱本体１８は、その内部に上下の長手方向に沿った中空部１８ｂを有して断面矩形状に形成されている。中空部１８ｂの上端開口がキャップ部材２０によって閉塞される小口１８ａとなる。門柱本体１８の正面壁１８ｃには、上から下に向かって順に表札１２、インターホン１６、ポスト１４が取り付けられている。
【００１８】
図２は、キャップ部材２０の門柱本体１８への取付構造を示す分解斜視図であり、図３は、図２に示すキャップ部材２０の内部構造を示す分解斜視図である。また、図４は、キャップ部材２０を含む門柱本体１８の上部を拡大した縦断面図である。
【００１９】
図２〜図４に示すように、キャップ部材２０は、樹脂材料や金属材料によって矩形の有底箱状に形成されている。キャップ部材２０は、その箱形状の底面となる天面２０ａを上にして門柱本体１８の小口１８ａを覆うように被される。
【００２０】
本実施形態では、門柱本体１８の小口１８ａにブラケットとなる板状の台座部材２２を固定しており、キャップ部材２０はこの台座部材２２に対して取付固定される。台座部材２２は平面視で門柱本体１８の小口１８ａよりも大きな外形を有する。具体的には、台座部材２２は、小口１８ａと略同一の幅寸法を有する一方、小口１８ａの正面壁１８ｃ側の一端縁から正面壁１８ｃ側に大きく突出する奥行き寸法を有する矩形の金属板若しくは樹脂板である。キャップ部材２０は平面視で台座部材２２よりも僅かに大きな外形を有する（図４参照）。
【００２１】
キャップ部材２０は、台座部材２２を内側に収容するように設けられ、そのスカート状の周縁部の下端部２０ｂが台座部材２２の周縁部２２ａよりも下方に突出するように設置される（図４参照）。またキャップ部材２０は、小口１８ａの正面壁１８ｃ側の一端縁から正面壁１８ｃ側に突き出しており、この部分が門柱本体１８の外形から突き出た突出部２５となる。
【００２２】
図３及び図４に示すように、キャップ部材２０の天面２０ａには、取付部材２４を介して照明デバイス２６が取り付けられている。
【００２３】
取付部材２４は、照明デバイス２６をキャップ部材２０に対して取付固定するためのブラケットとなる帯板状の金属板若しくは樹脂板である。取付部材２４は、その長手方向両端側にそれぞれ孔部２４ａが設けられ、該孔部２４ａを挿通するねじ２８によって天面２０ａに取付固定される（図３参照）。天面２０ａには、各ねじ２８が螺合される雌ねじボス部２０ｃが突設されている（図４参照）。取付部材２４の各孔部２４ａの近傍には、雌ねじ孔２４ｂがそれぞれ形成されている。
【００２４】
照明デバイス２６は、例えばＬＥＤや有機ＥＬ等の照明用の光源となる光デバイスである。照明デバイス２６は、取付部材２４を介してキャップ部材２０の天面２０ａに固定された状態で、下方を指向する表面である照射面２６ａから光を照射可能である。照明デバイス２６（取付部材２４）は、キャップ部材２０の突出部２５の上方に配置されている。照明デバイス２６は、両側部にそれぞれ形成された取付孔２６ｂを挿通したねじ３０が取付部材２４の各雌ねじ孔２４ｂに螺合されることで取付部材２４に対して取付固定される。照明デバイス２６の一側面からは、一端が内部の基板に接続された配線３２の他端が引き出されている。
【００２５】
キャップ部材２０の取付用のブラケットとなる台座部材２２は、小口１８ａを覆う部分の両側部にそれぞれ孔部２２ｂが設けられ、各孔部２２ｂを挿通したねじ３４によって門柱本体１８に固定される。小口１８ａの内側の中空部１８ｂには、ねじ３４が螺合される雌ねじ孔が形成されている。また、台座部材２２の小口１８ａを覆う部分には、比較的大きな円形の配線挿通孔２２ｃが形成されている。台座部材２２の上面であって配線挿通孔２２ｃに近接する位置には、配線保持具３６が設けられている。配線保持具３６は結束バンド等によって構成され、台座部材２２に対して後述する電源線４２を保持するものであり、省略されてもよい。
【００２６】
キャップ部材２０の突出部２５を支持する台座部材２２の小口１８ａからの突出部分には、該突出部分の大部分に亘る矩形の開口部２２ｄが形成されている。開口部２２ｄの両側部には孔部２２ｅがそれぞれ形成されている。台座部材２２の突出部分の下面には、孔部２２ｅに挿通されるねじ３８によって透過材４０が取付固定される。
【００２７】
次に、門柱１０における照明デバイス２６の取付方法の一例を説明する。
【００２８】
照明デバイス２６は、予め工場や現場でキャップ部材２０の天面２０ａに対して取付部材２４を介して取り付けされる。つまり、門柱本体１８への取付前のキャップ部材２０は、その内側に照明デバイス２６が取り付けされ、配線３２が引き出されたアセンブリ部品となっている（図２参照）。
【００２９】
次に、門柱本体１８を現場に立設する前に或いは立設した後に、台座部材２２を門柱本体１８の小口１８ａに取付固定する。台座部材２２の配線挿通孔２２ｃから門柱本体１８の中空部１８ｂへと電源線４２を挿通させる。電源線４２の一端（上端）は照明デバイス２６の配線３２に対する結線用の部分であり、他端（下端）は門柱本体１８の下部に形成された図示しない配線挿通孔から門柱本体１８外に引き出され、図示しない電源に接続される。台座部材２２に配線保持具３６を設けている場合は、電源線４２の配線挿通孔２２ｃから上方に引き出された一端部を配線保持具３６で保持しておく。なお、配線保持具３６は、電源線４２の一端部を門柱本体１８に対して直接的に或いは台座部材を介して間接的に保持するものあればよく、さらには電源線４２の一端部をキャップ部材２０に対して保持するものであってもよく、その配置や構造は変更可能である。例えば、配線保持具３６は、台座部材２２に形成した孔部と配線挿通孔２２ｃとに挿通され、該台座部材２２に対して電源線４２を保持する結束バンドでもよく、キャップ部材２０の内面に設けられてもよく、門柱本体１８の中空部１８ｂの内面に設けられてもよい。また、配線保持具３６は、電源線４２を保持できるものであれば、接着テープ等で構成されてもよい。
【００３０】
続いて、照明デバイス２６の配線３２を電源線４２に結線し（結線部４４）、キャップ部材２０を台座部材２２に被せ、所望の透過率を有する透過材４０を台座部材２２の正面壁１８ｃから突出した部分の下面に当てる。そして、ねじ３８を透過材４０の孔部４０ａ及び台座部材２２の孔部２２ｅを通してキャップ部材２０の天面２０ａの両側部から突出した雌ねじボス部２０ｄ（図３参照）に螺合させる。これにより、キャップ部材２０及び透過材４０が台座部材２２、つまり門柱本体１８に対して取付固定され、照明デバイス２６の取付作業が完了する。
【００３１】
従って、このように取り付けられた照明デバイス２６の照射面２６ａから光が照射されると、この光は台座部材２２の開口部２２ｄから透過材４０を透過してキャップ部材２０の突出部２５から下方に照射される。これにより、例えば表札１２を所望の明るさや色調の光で照らすことができる。
【００３２】
一方、例えば照明デバイス２６の仕様や形状を変更するメンテナンス作業では、２本のねじ３８を取り外すとキャップ部材２０を門柱本体１８から取り外すことができる。そこで、ねじ３８を取り外して照明デバイス２６を取付部材２４から取り外し、必要に応じて新たな照明デバイス２６の取付孔２６ｂの位置に対応する新たな雌ねじ孔２４ｂを形成する。これにより、照明デバイス２６を容易に交換することができる。
【００３３】
以上のように、本実施形態に係る門柱１０は、門柱本体１８と、門柱本体１８の上端部の小口１８ａを塞ぐキャップ部材２０とを備え、キャップ部材２０の内面（天面２０ａ）に、取付部材２４を介して照明デバイス２６を取り付けた構成となっている。
【００３４】
従って、照明デバイス２６の門柱本体１８への取付作業は、配線３２と電源線４２の結線作業の他は照明デバイス２６を取り付けたキャップ部材２０を小口１８ａに被せて固定するだけでよい。このため、門柱本体１８への穴加工等が不要となり、取付作業が容易となる。しかも照明デバイス２６は、取付部材２４を介してキャップ部材２０に取り付けられる。このため、照明デバイス２６の交換等のメンテナンス作業では、取付部材２４に対する追加の穴加工等を行うだけで形状や仕様の異なる照明デバイス２６を交換設置することができ、容易である。また、照明デバイス２６は、門柱本体１８の小口１８ａを塞ぐキャップ部材２０の内側に設けられるため、照明デバイス２６が門柱本体１８の外観上に大きく現れず門柱１０の意匠の一体感が向上し、外観品質が向上する。
【００３５】
当該門柱１０において、照明デバイス２６は、キャップ部材２０の天面２０ａに対して取付部材２４を介して取り付けられている。このため、照明デバイス２６がキャップ部材２０の内側で最も浸水の可能性が低い高位置に設置され、高い防水効果が得られる。なお、照明デバイス２６は天面２０ａ以外、例えばキャップ部材２０の突出部２５の内側面等に取り付けられてもよい。また、キャップ部材２０の天面２０ａから照明デバイス２６を下に向けて設置することで、キャップ部材２０の上面側からの直射日光の影響が照明デバイス２６に及ぶことを抑制でき、照明デバイス２６を構成するＬＥＤ等の長寿命化を図ることができる。特に、当該門柱１０では、照明デバイス２６の裏面に取付部材２４を設けているため一層高い遮光効果や遮熱効果が得られる。
【００３６】
当該門柱１０において、キャップ部材２０は、門柱本体１８の小口１８ａに設けられた板状の台座部材２２を上方から覆うように該台座部材２２に対して固定され、台座部材２２の周縁部２２ａよりもキャップ部材２０の周縁部の下端部２０ｂが下方に突出している。これにより、台座部材２２をブラケットとしてキャップ部材２０を容易に且つ精度よく門柱本体１８に対して取り付けることができる。しかも、台座部材２２の周縁部２２ａよりもキャップ部材２０の下端部２０ｂが下方に突出しているため、キャップ部材２０の下端部２０ｂと台座部材２２とが段ずれした取付構造となる。これにより、キャップ部材２０の外面を流れた雨水等は、その下端部２０ｂから下方に円滑に流れ落ちる。このため、キャップ部材２０の内側にある台座部材２２との間の隙間に雨水等が表面張力等によって浸入することを効果的に防止できる。
【００３７】
当該門柱１０において、キャップ部材２０は、少なくとも小口１８ａの一端縁から門柱本体１８の一側方に突き出した突出部２５を有し、突出部２５の下面側に照明デバイス２６からの光を透過する透過材４０が設けられている。これにより、キャップ部材２０内への浸水を透過材４０によって確実に防止しつつ、照明デバイス２６からの光を円滑に外部に照射することができる。また、例えば照明デバイス２６の交換時にはその仕様や特性に応じた透過材４０に交換することもでき、メンテナンス性が一層向上する。さらに、照明デバイス２６の仕様や特性に応じた透過材４０を選定することで、その下方に設置されたインターホン１６のカメラ１６ａに取り込まれる照明デバイス２６からの光量を適正に調整できる。
【００３８】
当該門柱１０において、門柱本体１８は、その内部に長手方向の中空部１８ｂが形成されると共に、中空部１８ｂには照明デバイス２６への通電用の電源線４２が挿通されており、電源線４２は、その一端部が門柱本体１８（本実施形態では台座部材２２）に対して取り付けられた配線保持具３６によって保持された状態で照明デバイス２６に接続された配線３２と結線されている。これにより、門柱本体１８内を垂下される電源線４２がその自重で下方に引っ張られ、配線３２との結線部４４に負荷がかかることを防止でき、結線部４４での断線等を防止できる。
【００３９】
なお、本発明は、上記した実施形態に限定されるものではなく、本発明の主旨を逸脱しない範囲で自由に変更できることは勿論である。
【符号の説明】
【００４０】
１０  門柱、１８  門柱本体、１８ａ  小口、１８ｂ  中空部、１８ｃ  正面壁、２０  キャップ部材、２０ａ  天面、２０ｂ  下端部、２０ｃ  雌ねじボス部、２２  台座部材、２２ａ  周縁部、２２ｃ  配線挿通孔、２２ｄ  開口部、２４  取付部材、２５  突出部、２６  照明デバイス、２６ａ  照射面、３２  配線、３６  配線保持具、４０  透過材、４２  電源線、４４  結線部
【図１】
0006715040.tif 000002
【図２】
0006715040.tif 000003
【図３】
0006715040.tif 000004
【図４】
0006715040.tif 000005